(57)【要約】【課題】本発明は浄化槽埋設工事の工期と工費を大幅に低減すると共に、同埋設作業の省力化と均質化を達成する地中埋設浄化槽用のＰＣコンクリート製基礎プレートを提供する。【解決手段】上記基礎プレート１２は上面で開口する吊り穴１３と、該吊り穴１３内に配設した基礎プレート吊り上げ用の吊り手１４を有し、更に上記基礎プレート１２の一側面又は対向する二側面において露出する基礎プレート１２と一体の締結板１７を有すると共に、更に基礎プレート１２の一端上縁部又は対向する両端上縁部に上記締結板１７と対応し開口するボルト導入穴１９を有し、上記締結板１７を隣接する基礎プレート１２の締結板１７と対接し、上記ボルト導入穴１９を通じ上記締結板１７のボルト締結孔１８にボルト２２を挿入締結して隣接する基礎プレート１２間を連結する構成とした地中埋設浄化槽用のＰＣコンクリート製基礎プレート。【選択図】        図２
2007169975.tif 000002
【特許請求の範囲】
【請求項１】
地中に埋設される浄化槽の底面を載置するＰＣコンクリート製基礎プレートであって、該基礎プレートは上面で開口する吊り穴を有すると共に、該吊り穴内に配設した基礎プレートと一体の基礎プレート吊り上げ用の吊り手を有し、更に上記基礎プレートの一側面又は対向する二側面に基礎プレートと一体のボルト締結板を有すると共に、該ボルト締結板にボルト締結孔を設け、更に基礎プレートの一端上縁部又は対向する両端上縁部に上記ボルト締結板の背面に接し開口するボルト導入穴を有し、上記ボルト締結板を隣接する基礎プレートのボルト締結板と対接し、上記ボルト導入穴を通じ上記ボルト締結孔にボルトを挿入締結して隣接する基礎プレート間を連結する構成としたことを特徴とする地中埋設浄化槽用のＰＣコンクリート製基礎プレート。
【発明の詳細な説明】
【技術分野】
【０００１】
本発明は地中に埋設される浄化槽の底面を載置するＰＣコンクリート製基礎プレートに関する。
【背景技術】
【０００２】
図１Ｂに示すように、トイレ、台所、風呂等の排水を処理する浄化槽１は、地中に埋設し、該浄化槽底面を地中に埋設した基礎コンクリート上に載置し、該浄化槽１の天壁に設けたマンホールの蓋２を上部スラブコンクリート３の上面に配する施工が行われている。
【０００３】
詳述すると図１Ａに示すように、重機を用いて浄化槽埋設穴４を掘削し、該浄化槽埋設穴４の内周面に沿い矢板５を打ち込み、該矢板５を腹起こし梁６で突っ張り支持することにより土留めを図る工事を行い、更に図１Ｂに示すように、浄化槽埋設穴４の内底面に割り栗石７を敷いて突き固め、該割り栗石７の上面に捨てコンクリート８を現場打ちし、該捨てコンクリート８の養生硬化期間を経た後、該捨てコンクリート８の上面に鉄筋９を配筋して型枠を組み、該型枠内に底版コンクリート１０を現場打ちし、該底版コンクリート１０の上面を水平に均し仕上げし、該底版コンクリート１０の養生硬化期間を経た後、上記矢板５と腹起こし梁６を取り外し、上記底版コンクリート１０上に浄化槽１を支持して埋め戻しを行い、上記スラブコンクリート３を打設する工事を行っている。
【発明の開示】
【発明が解決しようとする課題】
【０００４】
然るに従来の浄化槽埋設工事には背景技術において説明したように、配筋作業、基礎コンクリートの現場打ち作業、即ち捨てコンクリート８と底版コンクリート１０の現場打ち作業と、底版コンクリート１０上面を均一に平面仕上げする作業が不可欠であり、更には両コンクリート８，１０の養生硬化期間を必要とし、全体として工期が長くかかり、その施工に熟練した技術が要求される。
【０００５】
従って浄化槽埋設工事の工費も高く付く問題を有している。
【課題を解決するための手段】
【０００６】
本発明は上記問題を有効に解決する地中埋設浄化槽用のＰＣコンクリート製基礎プレートを提供するものである。
【０００７】
この地中埋設浄化槽用のＰＣコンクリート製基礎プレートは、上面で開口する吊り穴と該吊り穴内に配設した基礎プレートと一体の吊り手を有する。
【０００８】
更に上記基礎プレートの一側面又は対向する二側面に基礎プレートと一体のボルト締結板を設けると共に、該ボルト締結板にボルト締結孔を設け、更に基礎プレートの一端上縁部又は対向する両端上縁部に上記ボルト締結板の背面に接し開口するボルト導入穴を有する。
【０００９】
上記ボルト締結板を隣接する基礎プレートのボルト締結板と対向させ、上記ボルト導入穴を通じ上記ボルト締結孔にボルトを挿入し締結して隣接する基礎プレート間を連結し一枚の基礎プレート連結体を構成し、上記浄化槽を両基礎プレートに跨るように載置する構造とする。
【発明の効果】
【００１０】
本発明によれば、浄化槽埋設工事において最も工期と技術を要していた現場配筋と基礎コンクリートの現場打設と均し作業、養生期間の経過等の要因を取り除き、浄化槽の埋設工事における工期の短縮と工費の大幅な削減を達成することができると共に、浄化槽埋設作業の省力化、合理化を達成できる。
【００１１】
又浄化槽埋設工事における最も重要な基礎コンクリートの均質化を図り、従来発生していた基礎コンクリートの沈下、ひび割れ、これに伴う浄化槽の傾きや亀裂の発生を可及的に防止する効果を奏ずる。
【００１２】
更に単位基礎プレートを二枚又は三枚連結し浄化槽を載置する実質一枚の基礎プレートを組み立てる構成により、単位基礎プレートの大幅な軽量化、作業性の向上と、取り扱いの容易性を確保し、上記ボルト締結によって堅牢な一枚の基礎プレート連結体を容易に形成できる。
【発明を実施するための最良の形態】
【００１３】
以下本発明を実施するための最良の形態を図２乃至図１３に基づいて詳述する。
【００１４】
１２は地中埋設浄化槽用の方形のＰＣコンクリート製基礎プレート（プレキャストコンクリート製基礎プレート）であり、図２乃至図５に示すように、該基礎プレート１２は上面で開口する複数の吊り穴１３と該吊り穴１３内に配設した基礎プレート１２と一体の吊り手１４を有する。
【００１５】
上記基礎プレート１２は内部に鉄筋１５を配筋した事前に工場で成形された鉄筋コンクリート製であり、上記吊り穴１３及び吊り手１４は該基礎プレート１２の成形時に同プレート１２の四隅に配設する。
【００１６】
上記吊り手１４は吊り穴１３内に充分な遊びを存し、基礎プレート１２上面より突出しないように配し、該遊びにより吊り穴１３内に吊り具１６を挿入しつつ上記吊り手１４に掛止し、基礎プレート１２の吊り上げ又は設置作業を行う。
【００１７】
上記吊り手１４としては種々の構造の吊掛け金具の適用が可能であるが、本実施例ではスタッドピンを用い、該スタッドピンの下端を基礎プレート１２の成形時に吊り穴１３の底部コンクリートに一体に埋め込んで吊り穴１３内に立ち上げる。
【００１８】
更に図２Ａ，Ｂと図４に示すように、上記基礎プレート１２の一側面において露出する基礎プレート１２と一体の複数のボルト締結板１７を設ける。該ボルト締結板１７は基礎プレート１２の一側面に幅方向において間隔を存し配置する。
【００１９】
他例として図３Ａ，Ｂと図５に示すように、上記基礎プレート１２の対向する二側面において露出する基礎プレート１２と一体の複数のボルト締結板１７を設ける。該ボルト締結板１７は基礎プレート１２の一側面と他側面に幅方向において間隔を存し配置する。
【００２０】
上記ボルト締結板１７にボルト締結孔１８を設け、更に基礎プレート１２の一端上縁部又は対向する両端上縁部に上記ボルト締結板１７の背面に接し開口する複数のボルト導入穴１９を設ける。
【００２１】
又上記ボルト締結孔１８は好ましくは雌ねじ孔とし、該雌ねじ孔１８にボルト２２を螺合しつつ後記する単位基礎プレート１２間を連結する構造にする。
【００２２】
上記ボルト締結板１７は基礎プレート１２の側面と同一平面となるように配置し、該ボルト締結板１７の両端から脚板２０を延設し、該脚板２０にアンカー鉄筋２１を溶接して後方へ延出し、脚板２０とアンカー鉄筋２１を基礎プレート１２の成形時にコンクリート内に埋設してボルト締結板１７を基礎プレート１２と一体に強固に支持する。同様にボルト導入穴１９は基礎プレート１２のコンクリート成形時に一体に成形する。
【００２３】
上記吊り穴１３と吊り手１４とボルト締結板１７とボルト締結孔１８とボルト導入穴１９は図２Ａ，図３Ａに示すように、方形の基礎プレート１２の側面と並行な二直線上に中心を有するように並設する。よって吊り穴１３と吊り手１４はアンカー鉄筋２１間に配置する。
【００２４】
図６，図７，図１０，図１１に示すように、図２，図４の構造を有する二枚の単位基礎プレート１２の一側面を互いに対接すると共に、上記ボルト締結板１７を互いに対接し、上記ボルト導入穴１９を通じ上記ボルト締結孔１８にボルト２２を挿入しナット締めすることにより締結板１７，１７を重合し締結して隣接する基礎プレート１２間を連結し一枚の基礎プレート連結体１１を構成し、図１３Ａに示すように、上記浄化槽１の左半部を一方の単位基礎プレート１２上に載置し、同右半部を他方の単位基礎プレート１２上に載置する構造とする。
【００２５】
他例として図８，図９，図１０，図１１に示すように、図３，図５の構造を有する中央単位基礎プレート１２と図２、図４の構造を有する左右単位基礎プレート１２を用い、中央単位基礎プレート１２の対向する二側面に左右単位基礎プレート１２の一側面を互いに対接すると共に、上記ボルト締結板１７を互いに対接し、上記ボルト導入穴１９を通じ上記ボルト締結孔１８にボルトを挿入しナット締めすることにより締結板１７，１７を重合し締結して三枚の隣接する基礎プレート１２間を連結し一枚の基礎プレート連結体１１を構成し、図１３Ｂに示すように、上記浄化槽１の中央部を中央単位基礎プレート１２上に載置し、同左右端を左右単位基礎プレート１２上に載置する構造とする。
【００２６】
次に浄化槽１の埋設工事について説明すると、図１２Ａに示すように、浄化槽埋設穴４を掘削し、図１２Ｂに示すように、その底面に割り栗石７を平坦に敷き詰め突き固め、該割り栗石７層の上面に上記基礎プレート１２を前記吊り手１４を用いて吊り上げ搭載する。
【００２７】
この時割り栗石７層の上面に打設する従来の捨てコンクリート８を省約することができる。基礎プレート１２の上面と下面は工場成形時に平面仕上げされており、割り栗石７層の上面を平面に仕上げれば捨てコンクリート８無しで、割り栗石７層の上面に直接上記基礎プレート１２を載設できる。
【００２８】
然しながら本発明は割り栗石７層の上面に捨てコンクリートを打ち、深さ調整を行う場合を排除するものではない。
【００２９】
上記基礎プレート１２は図６，図８に示すように、地上において互いに連結して基礎プレート連結体１１を構成し、然る後、上記埋設穴４内へ設置することができる。又は単位基礎プレート１２を一枚ずつ埋設穴４内へ入れ込み、各単位基礎プレート１２を吊り上げながら位置合わせし、埋設穴４内において各単位基礎プレート１２間を連結する作業を行うことができる。
【００３０】
上記基礎プレート連結体１１の設置後、直ちに該基礎プレート連結体１１上に浄化槽１を載置し、図１２Ｃに示すように、埋設穴４の埋め戻しを行い、スラブコンクリート３を打設し、該スラブコンクリート３の上面において浄化槽１のマンホールの蓋２を露出せしめる。
【００３１】
図１３に示すように、上記基礎プレート連結体１１は浄化槽１の左右前後において張り出し、一端側と他端側の吊り穴１３及び吊り手１４が該張り出し端に存在するように配置し、後日必要に応じ吊り上げできるようにする。
【００３２】
同様にボルト２２による締結部が上記張り出し端、少なくとも浄化槽１の底辺付近に存在するように配置する。
【図面の簡単な説明】
【００３３】
【図１】Ａは浄化槽埋設工事における埋設穴の掘削状態を説明する断面図、Ｂは従来の上記埋設穴内に埋設した浄化槽の基礎構造を説明する断面図。
【図２】Ａは本発明に係る地中埋設浄化槽用のＰＣコンクリート製基礎プレートの一例を示す平面図、Ｂは同側面図。
【図３】Ａは本発明に係る地中埋設浄化槽用のＰＣコンクリート製基礎プレートの他例を示す平面図、Ｂは同側面図。
【図４】図２におけるＡ−Ａ線断面図。
【図５】図３におけるＢ−Ｂ線断面図。
【図６】上記図２に示す基礎プレートを用いて形成した基礎プレート連結体の平面図。
【図７】上記基礎プレートの側面図。
【図８】上記図３に示す基礎プレートを用いて形成した基礎プレート連結体の平面図。
【図９】上記基礎プレートの側面図。
【図１０】上記図６，図８に示す基礎プレート連結体の連結部の拡大平面図。
【図１１】上記図６，図８に示す基礎プレート連結体の連結部の拡大断面図。
【図１２】Ａ，Ｂ，Ｃは上記基礎プレート連結体を用いた浄化槽埋設工事を説明する断面図。
【図１３】Ａは図６に示す上記基礎プレート連結体上への浄化槽の支持状態を説明する平面図、Ｂは図８に示す上記基礎プレート連結体上への浄化槽の支持状態を説明する平面図。
【符号の説明】
【００３４】
１…浄化槽、２…マンホールの蓋、３…スラブコンクリート、４…浄化槽埋設穴、７…割り栗石、１１…基礎プレート連結体、１２…基礎プレート、１３…吊り穴、１４…吊り手、１５…鉄筋、１６…吊り具、１７…ボルト締結板、１８…ボルト締結孔、１９…ボルト導入穴、２０…脚板、２１…アンカー鉄筋、２２…ボルト。
【図１】
2007169975.tif 000003
【図２】
2007169975.tif 000004
【図３】
2007169975.tif 000005
【図４】
2007169975.tif 000006
【図５】
2007169975.tif 000007
【図６】
2007169975.tif 000008
【図７】
2007169975.tif 000009
【図８】
2007169975.tif 000010
【図９】
2007169975.tif 000011
【図１０】
2007169975.tif 000012
【図１１】
2007169975.tif 000013
【図１２】
2007169975.tif 000014
【図１３】
2007169975.tif 000015